(57)【要約】【課題】特にベッド状態のときに子供の頭部を十分に保護することのできる育児器具の座席形成部材および頭部プロテクターを提供する。【解決手段】座席形成部材１０は、椅子状態とベッド状態とに切換え可能な育児器具に取り付けられて座席を形成するものであり、背もたれ壁１２と、この背もたれ壁１２の上部に屈曲可能に連結された頂部壁１３とを備える。ベッド状態のとき、頂部壁１３が背もたれ壁１２に対して前方に角度をなすように屈曲する。座席形成部材１０は、頂部壁１３から両側方に張り出す１対の側部保護部材１４ｂを備える。各側部保護部材１４ｂは、ベッド状態のとき座席の側壁に案内されて頂部壁１３から前方に折れ曲がって背もたれ壁１２上に位置する。【選択図】        図３
2004261453.tif 000002
【特許請求の範囲】
【請求項１】
椅子状態とベッド状態とに切換え可能な育児器具に取付けられて座席を形成するものであり、背もたれ壁と、前記背もたれ壁の上部に屈曲可能に連結された頂部壁とを備え、ベッド状態のとき前記頂部壁が前記背もたれ壁に対して前方に角度をなすように屈曲する座席形成部材において、
前記頂部壁に連結され、この頂部壁から両側方に張り出す１対の側部保護部材を備え、
前記各側部保護部材は、ベッド状態のとき座席の側壁に案内されて前記頂部壁から前方に折れ曲がって前記背もたれ壁上に位置することを特徴とする、育児器具の座席形成部材。
【請求項２】
前記各側部保護部材は、曲げ弾性を有する材料からなる、請求項１に記載の育児器具の座席形成部材。
【請求項３】
前記頂部壁に沿って位置する中央部材と、前記１対の側部保護部材とを一体に有する頭部プロテクタ−を備える、請求項１または２に記載の育児器具の座席形成部材。
【請求項４】
前記頭部プロテクターは、曲げ弾性を有する材料からなる、請求項３に記載の育児器具の座席形成部材。
【請求項５】
前記頭部プロテクターは、前記頂部壁に取り外し可能に連結されている、請求項３または４に記載の育児器具の座席形成部材。
【請求項６】
前記１対の側部保護部材は、前記頂部壁の両側縁にヒンジを介して連結されている、請求項１に記載の育児器具の座席形成部材。
【請求項７】
前記頂部壁と前記１対の側部保護部材とは、一体に形成されている、請求項１または６に記載の育児器具の座席形成部材。
【請求項８】
背もたれ壁と、前記背もたれ壁の上部に屈曲可能に連結された頂部壁と、前記頂部壁に連結され、この頂部壁から両側方に張り出す１対の側部保護部材とを備え、
前記各側部保護部材は、前記頂部壁から前方に折れ曲がることが可能に設けられている、育児器具の座席形成部材。
【請求項９】
前記各側部保護部材は、曲げ弾性を有する材料からなる、請求項８に記載の育児器具の座席形成部材。
【請求項１０】
前記各側部保護部材は、前記頂部壁の側縁にヒンジを介して連結されている、請求項８に記載の育児器具の座席形成部材。
【請求項１１】
背もたれ壁と、この背もたれ壁の上部に屈曲可能に連結された頂部壁とを有する座席形成部材の頂部壁に取り外し可能に連結されるものであり、
前記頂部壁に固定される中央領域と、
前記中央領域から折り曲げ可能に両側方に張り出している１対の側部領域とを備える、育児器具の頭部プロテクター。
【請求項１２】
前記中央領域と前記頂部壁との間隔を調整するための間隔調整部材をさらに備える、請求項１１に記載の育児器具の頭部プロテクター。
【請求項１３】
前記中央領域に位置する中央プレートと、前記中央プレートに貼り合わされた弾性プレートとを備え、
前記弾性プレートは、前記中央プレートの両側方から張り出して前記１対の側部領域を形成する側方張り出し部を含む、請求項１１または１２に記載の育児器具の頭部プロテクター。
【請求項１４】
前記中央領域において前記弾性プレートの背面に貼り合わされた背面プレートを備え、
前記背面プレートは、前記弾性プレートに固定される中央固定部と、前記中央固定部の両側縁にヒンジを介して屈曲可能に連結された１対の屈曲部とを含む、請求項１３に記載の頭部プロテクター。
【発明の詳細な説明】
【０００１】
【発明の属する技術分野】
この発明は、椅子状態とベッド状態とに切換え可能な座席を備えた育児器具に関するものであり、特に子供の頭部を保護するための構造に関するものである。
【０００２】
【従来の技術】
椅子状態とベッド状態とに切換え可能な座席を備えた育児器具として、乳母車、チャイルドシート、子供椅子、ベビーラック等がある。
【０００３】
特開昭５７−９５２５４号公報は、椅子状態とベッド状態とに切換え可能な乳母車の座席を開示している。図１および図２は、この公報に開示された座席形成部材１を図解的に示すものであり、図１は椅子状態を示し、図２はベッド状態を示している。
【０００４】
座席形成部材１は、座壁２と、背もたれ壁３と、背もたれ壁３の上部に屈曲可能に連結された頂部壁４とを備える。図１に示す椅子状態では、頂部壁４は背もたれ壁３とほぼ同じ平面になるように位置する。一方、図２に示すベッド状態では、頂部壁４は、背もたれ壁３に対して前方に角度をなすように屈曲し、寝た状態の子供の頭頂部を保護する。
【０００５】
なお、本明細書中で用いる用語としての「座席形成部材」とは、育児器具本体に取付けられて座席を形成するものを意味し、例えば、座席ハンモック、座席芯材等を含む。
【０００６】
【特許文献１】
特開昭５７−９５２５４号公報（第４図、第５図）
【０００７】
【発明が解決しようとする課題】
身体が小さい子供の場合、子供の頭部と育児器具の座席の側面との間に大きな隙間が生じる。特に座席をベッド状態にしたとき、子供の側頭部と座席側面との間に大きな隙間があるのは安全上好ましくない。
【０００８】
この発明の目的は、特にベッド状態のときに子供の頭部を十分に保護することのできる育児器具の座席形成部材および頭部プロテクターを提供することである。
【０００９】
【課題を解決するための手段】
この発明に従った育児器具の座席形成部材は、椅子状態とベッド状態とに切換え可能な育児器具に取付けられて座席を形成するものであり、背もたれ壁と、背もたれ壁の上部に屈曲可能に連結された頂部壁とを備える。頂部壁は、ベッド状態のとき背もたれ壁に対して前方に角度をなすように屈曲する。本発明の特徴とするところは、次の点にある。
【００１０】
すなわち、座席形成部材は、頂部壁に連結され、この頂部壁から両側方に張り出す１対の側部保護部材を備える。各側部保護部材は、ベッド状態のとき座席の側壁に案内されて頂部壁から前方に折れ曲がって背もたれ壁上に位置する。
【００１１】
一つの実施形態では、各側部保護部材は、曲げ弾性を有する材料からなる。
【００１２】
他の実施形態では、座席形成部材は、頂部壁に沿って位置する中央部材と、１対の側部保護部材とを一体に有する頭部プロテクタ−を備える。頭部プロテクターは、好ましくは、曲げ弾性を有する材料からなる。
【００１３】
さらに他の実施形態では、頭部プロテクターは、頂部壁に取り外し可能に連結されている。
【００１４】
さらに他の実施形態では、１対の側部保護部材は、頂部壁の両側縁にヒンジを介して連結されている。この場合、例えば、頂部壁と１対の側部保護部材とは、一体に形成される。
【００１５】
他の局面において、この発明に従った育児器具の座席形成部材は、背もたれ壁と、背もたれ壁の上部に屈曲可能に連結された頂部壁と、頂部壁に連結され、この頂部壁から両側方に張り出す１対の側部保護部材とを備える。各側部保護部材は、頂部壁から前方に折れ曲がることが可能に設けられている。
【００１６】
各側部保護部材は、例えば、曲げ弾性を有する材料からなる。他の実施形態では、各側部保護部材は、例えば、頂部壁の側縁にヒンジを介して連結されている。
【００１７】
この発明に従った頭部プロテクターは、背もたれ壁と、この背もたれ壁の上部に屈曲可能に連結された頂部壁とを有する座席形成部材の頂部壁に取り外し可能に連結される。この頭部プロテクターは、頂部壁に固定される中央領域と、中央領域から折り曲げ可能に両側方に張り出している１対の側部領域とを備える。
【００１８】
一つの実施形態では、頭部プロテクターは、中央領域と頂部壁との間隔を調整するための間隔調整部材をさらに備える。
【００１９】
また一つの実施形態では、頭部プロテクターは、中央領域に位置する中央プレートと、中央プレートに貼り合わされた弾性プレートとを備える。弾性プレートは、中央プレートの両側方から張り出して上記の１対の側部領域を形成する側方張り出し部を含む。さらに具体的な構造として、頭部プロテクターは、中央領域において弾性プレートの背面に貼り合わされた背面プレートを備える。この背面プレートは、弾性プレートに固定される中央固定部と、中央固定部の両側縁にヒンジを介して屈曲可能に連結された１対の屈曲部とを含む。
【００２０】
上記各構成の作用効果については、以下の「発明の実施の形態」の項の中で説明する。
【００２１】
【発明の実施の形態】
図３〜図６は、この発明の一実施形態を示している。図示する座席形成部材１０は、椅子状態とベッド状態とに切換え可能な乳母車の車体に取り付けられて座席を形成する。
【００２２】
座席形成部材１０は、座壁１１と、背もたれ壁１２と、背もたれ壁１２の上部に屈曲可能に連結された頂部壁１３とを備える。頂部壁１３は、乳母車をベッド状態にしたとき、背もたれ壁１２に対して前方に角度をなすように屈曲して子供の頭頂部を保護する。
【００２３】
頂部壁１３には、ビス１５を介して頭部プロテクター１４が取り付けられている。頭部プロテクター１４は曲げ弾性を有する１枚の板材であり、頂部壁１３に固定される中央部材１４ａと、頂部壁１３から両側方に張り出す１対の側部保護部材１４ｂとを有する。
【００２４】
図５に示すように、乳母車の座席が椅子状態のときには、頂部壁１３は背もたれ壁１２の背もたれ面を上方に延長するように延び、子供の頭頂部の上部を開放する。この状態では、頭部プロテクター１４の１対の側部保護部材１４ｂは頂部壁１３の両側方に張り出して子供の側頭部を開放する。
【００２５】
図６に示すベッド状態では、頂部壁１３は、背もたれ壁１２に対して前方に角度をなすように屈曲し、子供の頭頂部を保護する。この状態では、頭部プロテクター１４の１対の側部保護部材１４ｂは、乳母車の座席の側壁（図示せず）に案内されて頂部壁１３の両側部から前方に折れ曲がって背もたれ壁１２上に位置し、子供の側頭部を保護する。
【００２６】
１対の側部保護部材１４ｂの折れ曲がりを案内する座席の側壁は、例えば、座席ハンモックの側面形成部材や、乳母車の車体フレーム等である。子供の側頭部との間の隙間を埋めるとともに、柔らかな感触を与えるために、１対の側部保護部材１４ｂにパッドやクッション材を取り付けるようにしてもよい。
【００２７】
乳母車の座席を図６に示すベッド状態から図５に示す椅子状態に移行させると、１対の側部保護部材１４ｂは頂部壁１３の両側方に張り出す位置に弾性復帰する。
【００２８】
なお、図示した実施形態では、頭部プロテクター１４が１枚の板材で構成されていたが、変形例として、１対の側部保護部材１４ｂを互いから切り離して別の部材で構成するようにしても良い。また、頭部プロテクター１４を頂部壁１３に取り外し可能に連結するものであっても良い。
【００２９】
図７は、この発明の他の実施形態を示している。図示する座席形成部材２０は座席芯材であり、乳母車の車体に直接取り付けられたり、座席ハンモックの中に入れられたりする。
【００３０】
図示するように、座席形成部材２０は、座壁２１と、背もたれ壁２２と、頂部壁２３と、１対の側部保護部材２４，２５とを備える。側部保護部材２４，２５は、頂部壁２３の両側縁にヒンジを介して屈曲可能に連結されている。座席形成部材２０を１枚の樹脂製板材で構成する場合には、上記のヒンジを、厚みを小さくした薄肉部によって形成するようにしても良い。
【００３１】
図８〜図１０は、他の実施形態である頭部プロテクター３０を示している。図１１および図１２は、頭部プロテクター３０を取り付ける座席形成部材としての座席ハンモック４０を示している。座席ハンモック４０は、背もたれ壁４１と、この背もたれ壁４１の上部に屈曲可能に連結された頂部壁４２とを有する。座席ハンモック４０は布製のカバーを備えており、頂部壁４２上のカバーには、間隔をあけて２個の切込み４３および４４が形成されている。
【００３２】
頭部プロテクター３０は、座席ハンモック４０の頂部壁４２に取り外し可能に連結されるものであり、図１２に示すように、頂部壁４２に固定される中央領域Ａ（図８）と、中央領域から折り曲げ可能に両側方に張り出している１対の側部領域Ｂ（図８）とを備える。
【００３３】
図１０を参照して、頭部プロテクター３０の構造を具体的に説明する。頭部プロテクター３０は、中央領域Ａに位置する中央プレート３１と、この中央プレート３１に張り合わされた弾性プレート３２とを備える。弾性プレート３２は、中央プレート３１に固定される中央部３２ａと、中央プレート３１から両側方に張り出して１対の側部領域Ｂを形成する側方張り出し部３２ｂとを有する。
【００３４】
頭部プロテクター３０は、さらに、中央領域Ａにおいて弾性プレート３２の背面に張り合わされた背面プレート３３と、弾性プレート３２の１対の側方張り出し部３２ｂ上に配置されたクッション材３４と、カバー３５とを備える。カバー３５は、中央プレート３１、クッション材３４および１対の側方張り出し３２ｂを覆う。背面プレート３３は、カバー３２から露出する。
【００３５】
背面プレート３３は、弾性プレート３２に固定される中央固定部３３ａと、この中央固定部３３ａの両側縁にヒンジを介して屈曲可能に連結された１対の屈曲部３３ｂとを含む。図１０に想像線で示すように、背面プレート３３の屈曲部３３ｂは背面側に起こされることが可能である。この屈曲部３３ｂは、頭部プロテクター３０の中央領域Ａと座席ハンモック４０の頂部壁４２との間隔を調整するための間隔調整部材として機能する。このことについては、後述する。
【００３６】
図１１および図１２に示すように、頭部プロテクター３０を座席ハンモック４０の頂部壁４２に形成された切込み４３，４４に通すことにより、頂部壁４２に取り付ける。図１２に示す取り付け状態では、頭部プロテクター３０の側部領域Ｂが切込み４３，４４から側方に露出して張り出している。
【００３７】
図１２は、椅子状態の座席ハンモック４０を示している。この状態から、座席ハンモック４０をベッド状態にすると、頂部壁４２が背もたれ壁４１に対して前方に角度をなすように屈曲し、頭部プロテクター３０の側部領域Ｂは頂部壁４２から前方に折れ曲がって背もたれ壁４１上に位置する。
【００３８】
座席ハンモック４０がベッド状態から椅子状態に移行すると、頭部プロテクター３０は図１２に示す形状に弾性復帰する。
【００３９】
身体が小さい乳幼児の場合、座席をベッド状態にしたとき、座席ハンモック４０の頂部壁４２と乳幼児の頭部との間に大きな隙間が生じる。このような段階の乳幼児を座席に乗せるときには、図１３および図１４に示すように、頭部プロテクター３０を座席ハンモック４０から外に取り出し、背面プレート３３の屈曲部３３ｂを背面側に向かって起こす。そして、連結帯４５を用いて、頭部プロテクター３０を頂部壁４２の前面に取り付ける。
【００４０】
連結帯４５の一端は座席ハンモックの背もたれ壁４１の上端部に固定され、他端は、頭部プロテクター３０を巻き回した後に面ファスナ４６を介して頂部壁４２の背面に接合される。
【００４１】
背面プレートの屈曲部３３ｂが起こされた状態で頂部壁４２に当接するので、頭部プロテクター３０の主要部は、頂部壁４２から離れて位置する。図１３および図１４は、ベッド状態の座席を示している。図示するように、身体が小さい乳幼児であっても、頭部プロテクター３０を座席ハンモック４０の頂部壁４２から離して位置させることにより、頭部プロテクター３０の側部領域Ｂを乳幼児の側頭部の近くに位置させることができる。
【００４２】
成長して身体が大きくなったときには、頭部プロテクター３０の屈曲部３３ｂを図１０に示すように弾性プレート３２に沿わすようにし、図１２に示した使い方をする。
【００４３】
以上、図面を参照してこの発明の実施形態を説明したが、この発明は図示した実施形態に限定されるものではない。図示した実施形態に対して、この発明と同一の範囲において、あるいは均等の範囲内において、種々の修正や変形を加えることが可能である。
【図面の簡単な説明】
【図１】椅子状態の座席形成部材を示す図である。
【図２】ベッド状態の座席形成部材を示す図である。
【図３】この発明の一実施形態を示す図である。
【図４】図３の線４−４に沿って見た断面図である。
【図５】図３の座席形成部材の椅子状態を示す図である。
【図６】図３の座席形成部材のベッド状態を示す図である。
【図７】この発明の他の実施形態を示す図である。
【図８】頭部プロテクターを示す正面図である。
【図９】図８の頭部プロテクターの背面図である。
【図１０】図８の線１０−１０に沿って見た断面図である。
【図１１】座席ハンモックを示す図である。
【図１２】図１１の座席ハンモックに頭部プロテクターを取り付けた状態を示す図である。
【図１３】頭部プロテクターを座席ハンモックの頂部壁から離して位置させた状態を示す図である。
【図１４】図１３に示す頭部プロテクターと頂部壁とを側面側から見た図である。
【符号の説明】
１０  座席形成部材、１１  座壁、１２  背もたれ壁、１３  頂部壁、１４  頭部プロテクター、１４ａ  中央部材、１４ｂ  側部保護部材、２０  座席形成部材、２１  座壁、２２  背もたれ壁、２３  頂部壁、２４  側部保護部材、２５  側部保護部材、３０  頭部プロテクター、Ａ  中央領域、Ｂ  側部領域、３１  中央プレート、３２  弾性プレート、３２ａ  中央部、３２ｂ  側方張り出し部、３３  背面プレート、３３ａ  中央固定部、３３ｂ  屈曲部、４０  座席ハンモック、４１  背もたれ壁、４２  頂部壁、４３  切込み、４４  切込み、４５  連結帯。
【図１】
2004261453.tif 000003
【図２】
2004261453.tif 000004
【図３】
2004261453.tif 000005
【図４】
2004261453.tif 000006
【図５】
2004261453.tif 000007
【図６】
2004261453.tif 000008
【図７】
2004261453.tif 000009
【図８】
2004261453.tif 000010
【図９】
2004261453.tif 000011
【図１０】
2004261453.tif 000012
【図１１】
2004261453.tif 000013
【図１２】
2004261453.tif 000014
【図１３】
2004261453.tif 000015
【図１４】
2004261453.tif 000016